【手続補正書】
【提出日】平成25年7月24日(2013.7.24)
【手続補正１】
【補正対象書類名】特許請求の範囲
【補正対象項目名】全文
【補正方法】変更
【補正の内容】
【特許請求の範囲】
【請求項１】
長尺状の電解質膜と、
前記電解質膜の一方面上に形成された第１の触媒層と、
前記電解質膜の他方面上において、前記第１の触媒層と対応する位置に形成された第２の触媒層と、
前記第１の触媒層上を覆っている長尺状の第１の保護シートと、
を備えた、保護シート付き触媒層−電解質膜積層体。
【請求項２】
前記第１の保護シートは、前記第１の触媒層上を覆った状態で前記電解質膜の一方面上に設けられている、請求項１に記載の保護シート付き触媒層−電解質膜積層体。
【請求項３】
前記第１の保護シートは、前記第１の触媒層上を覆った状態で前記電解質膜の一方面上に接着されている、請求項２に記載の保護シート付き触媒層−電解質膜積層体。
【請求項４】
前記第１の触媒層は、前記電解質膜の一方面上に長さ方向に間隔をあけて複数形成されており、
前記第２の触媒層は、前記電解質膜の他方面上において、前記各第１の触媒層と対応する位置に複数形成されている、請求項１〜３のいずれかに記載の保護シート付き触媒層−電解質膜積層体。
【請求項５】
ＪＩＳ  Ｋ  ６８５４−３の試験方法による前記第１の保護シートと前記電解質膜とのはく離接着強さは、０．０１〜１０Ｎ/ｃｍである、請求項１〜４のいずれかに記載の保護シート付き触媒層−電解質膜積層体。
【請求項６】
前記第１の保護シートは、前記第１の触媒層上に接着されている、請求項１〜５のいずれかに記載の保護シート付き触媒層−電解質膜積層体。
【請求項７】
ＪＩＳ  Ｋ  ６８５４−３の試験方法による前記第１の保護シートと前記触媒層とのはく離接着強さは、０．０１〜１．０Ｎ／ｃｍである、請求項６に記載の保護シート付き触媒層−電解質膜積層体。
【請求項８】
前記第１の保護シートは、該触媒層−電解質膜積層体をロール状にして輸送又は保管する際に前記第１及び第２の触媒層を保護する、請求項１〜７のいずれかに記載の保護シート付き触媒層−電解質膜積層体。
【請求項９】
前記第２の触媒層上を覆っている長尺状の第２の保護シートをさらに備えた、請求項１〜８のいずれかに記載の保護シート付き触媒層−電解質膜積層体。
【請求項１０】
長尺状の電解質膜と、
前記電解質膜の一方面上に形成された第１の触媒層と、
前記電解質膜の一方面上に形成された第２の触媒層と、
前記第１及び第２の触媒層上を覆っている第１の保護シートと、を備え、
前記第１の触媒層は、前記第２の触媒層に対して、前記第１の触媒層と前記第２の触媒層との間において電解質膜の長さ方向に延びる対称軸を中心に対称に配置されている、保護シート付き触媒層−電解質膜積層体中間体。
【請求項１１】
前記第１の保護シートは、該触媒層−電解質膜積層体中間体を前記対称軸で折り曲げて前記電解質膜の他方面同士を接着させることで製造される触媒層−電解質膜積層体を、ロール状にして輸送又は保管する際に前記第１及び第２の触媒層を保護する、請求項１０に記載の保護シート付き触媒層−電解質膜積層体中間体。
【請求項１２】
長尺状の電解質膜と、
前記電解質膜の一方面上に形成された、触媒層及び導電性多孔質基材からなる第１の電極と、
前記電解質膜の他方面上において、前記第１の電極と対応する位置に形成された、触媒層及び導電性多孔質基材からなる第２の電極と、
前記第１の電極上を覆っている長尺状の第１の保護シートと、
を備えた、保護シート付き膜−電極接合体。
【請求項１３】
前記第１の保護シートは、前記第１の電極上を覆った状態で前記電解質膜の一方面上に設けられている、請求項１２に記載の保護シート付き膜−電極接合体。
【請求項１４】
前記第１の保護シートは、前記第１の電極上を覆った状態で前記電解質膜の一方面上に接着されている、請求項１３に記載の保護シート付き膜−電極接合体。
【請求項１５】
前記第１の保護シートは、該膜−電極接合体をロール状にして輸送又は保管する際に前記第１及び第２の電極を保護する、請求項１２〜１４のいずれかに記載の保護シート付き膜−電極接合体。
【請求項１６】
前記第２の電極上を覆っている長尺状の第２の保護シートをさらに備えた、請求項１２〜１５のいずれかに記載の保護シート付き膜−電極接合体。
【手続補正２】
【補正対象書類名】明細書
【補正対象項目名】０００６
【補正方法】変更
【補正の内容】
【０００６】
本発明に係る保護シート付き触媒層−電解質膜積層体は、長尺状の電解質膜と、前記電解質膜の一方面上に形成された第１の触媒層と、前記電解質膜の他方面上において、前記第１の触媒層と対応する位置に形成された第２の触媒層と、前記第１の触媒層上を覆っている長尺状の第１の保護シートと、を備えている。
【手続補正３】
【補正対象書類名】明細書
【補正対象項目名】０００７
【補正方法】変更
【補正の内容】
【０００７】
このように構成された保護シート付き触媒層−電解質膜積層体は、第１の保護シートが第１の触媒層上を覆った状態となっているため、このような状態で保護シート付き触媒層−電解質膜積層体をロール状にすると、第１の触媒層と第２の触媒層との間に第１の保護シートが介在する状態となる。この結果、触媒層同士が擦れることが防止でき、ひいては触媒層の損傷や欠落を防止することができる。また、第１の保護シートが電解質膜の一方面上に接着していると、第１の触媒層上で動くことが抑制され、第１の保護シート自体が触媒層と擦れて触媒層を損傷させる若しくは欠落させることを防止することができる。なお、この第１の保護シートは、少なくとも触媒層の周囲で電解質膜に接着されていればよいが、電解質膜の触媒層が形成されていない部分全面に接着することで、保管中の電解質膜の膨潤収縮を確実に抑制することもできる。
【手続補正４】
【補正対象書類名】明細書
【補正対象項目名】００１１
【補正方法】変更
【補正の内容】
【００１１】
また、各第２の触媒層上を覆っている長尺状の第２の保護シートをさらに備えた構成とすることもできる。この構成によれば、より確実に触媒層が損傷することを防止できる。
【手続補正５】
【補正対象書類名】明細書
【補正対象項目名】００１２
【補正方法】変更
【補正の内容】
【００１２】
また、本発明に係る保護シート付き触媒層−電解質膜積層体中間体は、長尺状の電解質膜と、前記電解質膜の一方面上に形成された第１の触媒層と、前記電解質膜の一方面上に形成された第２の触媒層と、前記第１及び第２の触媒層上を覆っている第１の保護シートと、を備え、前記第１の触媒層は、前記第２の触媒層に対して、前記第１の触媒層と前記第２の触媒層との間において電解質膜の長さ方向に延びる対称軸を中心に対称に配置されている。
【手続補正６】
【補正対象書類名】明細書
【補正対象項目名】００１３
【補正方法】変更
【補正の内容】
【００１３】
この保護シート付き触媒層−電解質膜積層体中間体は、対称軸で電解質膜を折り曲げて電解質膜の他方面同士を接着させることで、保護シート付き触媒層−電解質積層体とすることができる。この保護シート付き触媒層−電解質膜積層体も上述した保護シート付き触媒層−電解質膜積層体と同様に、第１の保護シートが触媒層上を覆った状態となっているため、ロール状にして保管や輸送をした場合であっても触媒層が損傷したり欠落したりすることを防止できる。なお、この保護シート付き触媒層−電解質膜積層体中間体においても、第１の触媒層や第２の触媒層が電解質膜の長さ方向に間隔をあけて複数形成されていてもよいし、その他にも、第１の触媒層や第２の触媒層が長さ方向に間隔をあけることなく連続して形成されていてもよい。なお、第１の触媒層や第２の触媒層が長さ方向に間隔をあけて複数形成されている場合は、第１の触媒層の列と第２の触媒層の列とが、上記対称軸を中心にして対称となるように形成されている。
【手続補正７】
【補正対象書類名】明細書
【補正対象項目名】００１４
【補正方法】変更
【補正の内容】
【００１４】
また、本発明に係る保護シート付き膜−電極接合体は、長尺状の電解質膜と、前記電解質膜の一方面上に形成された、触媒層及び導電性多孔質基材からなる第１の電極と、前記電解質膜の他方面上において、前記各第１の電極と対応する位置に形成された、触媒層及び導電性多孔質基材からなる第２の電極と、前記第１の電極上を覆っている長尺状の第１の保護シートと、を備えている。